(57)【要約】【課題】開閉操作が容易で、掛止した魚を水中から引き上げる際に閉状態のフックが他の物に引っかかることのないストリンガー及びストリンガー用フック部材を提供する。【解決手段】ストリンガー２０におけるフック部材としてのフック部５０は、被掛止部５２と、縦棒状部５４と、縦棒状部５４の上端から連設され、線状部材を環状に湾曲させて形成された環状部５６と、縦棒状部５４に沿って形成された縦棒状部５８と、開閉部６０とを有し、開閉部６０は、略Ｕ字状部６２と、開閉部６０が被掛止部５２に掛止した状態では、被掛止部５２から上方に突出するとともに縦棒状部に略平行に形成された棒状先端部６４とを有し、棒状先端部６４を指で操作することにより開閉部６０の開閉が可能に形成され、また、開閉部６０が被掛止部５２に掛止した状態では、棒状先端部６４が環状部５６の下側の領域の内部に位置する。【選択図】図１
0003129061.tif 000002
【実用新案登録請求の範囲】
【請求項１】
魚釣りに用いるストリンガー用フック部材であって、
縦方向に設けられた柱状部と、
柱状部の上端に設けられた環状部と、
柱状部の下端から横方向に突出して設けられた被掛止部と、
柱状部の下端から下方に向けて設けられるとともに、上方に向けて湾曲し、被掛止部に掛止することにより閉状態となり、被掛止部への掛止を解除することにより開状態となる開閉部で、略Ｕ字状を呈する略Ｕ字状部と、略Ｕ字状部の端部から連設され、開閉部が被掛止部に掛止した状態では、被掛止部から上方に突出するとともに柱状部に略平行に形成された棒状先端部とを有する開閉部と、を有し、
棒状先端部を指で操作することにより開閉部の開閉が可能に形成され、また、開閉部が被掛止部に掛止した状態では、棒状先端部が環状部の下側の領域の内部に位置することを特徴とするストリンガー用フック部材。
【請求項２】
魚釣りに用いるストリンガー用フック部材であって、
線状部材の端部を略Ｕ字状に折り返して形成した被掛止部で、横方向に形成された被掛止部と、
被掛止部の端部から上方に折曲して形成された第１縦棒状部と、
第１縦棒状部の上端から連設された環状部で、線状部材を環状に湾曲させて形成された環状部と、
環状部の端部から連設され、第１縦棒状部に沿って形成された第２縦棒状部と、
第２縦棒状部の下端から下方に向けて設けられるとともに、上方に向けて湾曲し、被掛止部に掛止することにより閉状態となり、被掛止部への掛止を解除することにより開状態となる開閉部で、略Ｕ字状を呈する略Ｕ字状部と、略Ｕ字状部の端部から連設され、開閉部が被掛止部に掛止した状態では、被掛止部から上方に突出するとともに第１縦棒状部に略平行に形成された棒状先端部とを有する開閉部と、を有し、
上記被掛止部と、第１縦棒状部と、環状部と、第２縦棒状部と、開閉部とが１本の線状部材で構成され、
棒状先端部を指で操作することにより開閉部の開閉が可能に形成され、また、開閉部が被掛止部に掛止した状態では、棒状先端部が環状部の下側の領域の内部に位置することを特徴とするストリンガー用フック部材。
【請求項３】
上記棒状先端部の長さが、第１縦棒状部の長さと略同一に形成されていることを特徴とする請求項２に記載のストリンガー用フック部材。
【請求項４】
第１縦棒状部と第２縦棒状部とが、固定部材により一体に固定されていることを特徴とする請求項２又は３に記載のストリンガー用フック部材。
【請求項５】
魚釣りに用いるストリンガーであって、
スナップと、
スナップに連結された撚り戻しと、
撚り戻しに連設されたストリンガー用フック部材で、請求項１又は２又は３又は４に記載のストリンガー用フック部材と、
を有することを特徴とするストリンガー。
【考案の詳細な説明】
【技術分野】
【０００１】
本考案は、魚釣りに使用するストリンガーに関するものである。
【背景技術】
【０００２】
従来より、黒鯛や石鯛等の魚釣り用に用いるストリンガーが存在する。このストリンガーは、釣り上げた魚を潮だまり等に生かしておくための器具であり、複数のフックが紐体に通した構成を呈している。このストリンガーを使用する際には、ストリンガーのフックを開状態として魚に刺し、その後、フックを閉状態にして魚が逃げないようにする。
【０００３】
なお、出願人は、先行技術文献として、特許文献１に示す文献を知得している。
【特許文献１】特開２００５−１９８５３５号公報
【考案の開示】
【考案が解決しようとする課題】
【０００４】
しかし、ストリンガーは、魚が逃げてしまわないように、硬い線材で構成されており、ストリンガーのフックを開閉するのが困難であるという問題があった。例えば、特許文献１に記載のストリンガーの場合でも、フック３を開状態にするには、フックの３の丸みを帯びた側部を押して操作するが、フック３の線材も一般的に硬い線材で構成されていることから、開閉が困難であるという問題がある。
【０００５】
また、ストリンガーの使用状態では、フックを魚に掛止させて水中に入れておくが、掛止した魚を水中から引き上げる際にフックが水中で他の物に引っかかるのを防止することが望まれていた。つまり、魚を引き上げる際にフックが他の物に引っかかると、魚を引き上げるのが困難となり、また、フックが外れて魚が逃げてしまうおそれがある。
【０００６】
また、特許文献１のストリンガーのように、フックの丸みを帯びた側部を操作する場合には、掛止した魚をフックから外す際に、魚に近い位置で操作しなければならないため、魚に触れて怪我をする危険があった。
【０００７】
そこで、本考案が解決しようとする問題点は、開閉操作が容易で、掛止した魚を水中から引き上げる際に閉状態のフックが他の物に引っかかることがなく、また、掛止した魚を外す場合にも安全に作業を行うことができるストリンガー及びストリンガー用フック部材を提供することである。
【課題を解決するための手段】
【０００８】
本考案は上記問題点を解決するために創作されたものであって、第１には、魚釣りに用いるストリンガー用フック部材であって、縦方向に設けられた柱状部と、柱状部の上端に設けられた環状部と、柱状部の下端から横方向に突出して設けられた被掛止部と、柱状部の下端から下方に向けて設けられるとともに、上方に向けて湾曲し、被掛止部に掛止することにより閉状態となり、被掛止部への掛止を解除することにより開状態となる開閉部で、略Ｕ字状を呈する略Ｕ字状部と、略Ｕ字状部の端部から連設され、開閉部が被掛止部に掛止した状態では、被掛止部から上方に突出するとともに柱状部に略平行に形成された棒状先端部とを有する開閉部と、を有し、棒状先端部を指で操作することにより開閉部の開閉が可能に形成され、また、開閉部が被掛止部に掛止した状態では、棒状先端部が環状部の下側の領域の内部に位置することを特徴とする。
【０００９】
この第１の構成のストリンガー用フック部材においては、開閉部に対して被掛止部との掛止を解除して、開閉部を開状態とし、棒状先端部から魚に刺して略Ｕ字状部に魚を掛止させる。その後、開閉部を被掛止部に掛止させて、開閉部を閉状態とする。
【００１０】
本考案のストリンガー用フック部材においては、棒状先端部が設けられていて、棒状先端部が柱状部と略平行に形成され、棒状先端部を指で操作することにより開閉部の開閉が可能に形成されているので、少ない力で容易に開閉操作をすることができる。また、開閉部が被掛止部に掛止した状態では、棒状先端部が環状部の下側の領域の内部に位置するので、棒状先端部の先端の上方が、環状部によりカバーされた状態となり、魚を掛止したストリンガーを水中から引き上げる際に、棒状先端部の先端が他の物に引っかかるおそれを小さくすることができ、魚を容易に引き上げることが可能となる。
【００１１】
また、棒状先端部を操作することにより開閉部を開閉できるので、ストリンガーに掛止されている魚を外す際に、棒状先端部は魚から離れた位置にあるので、安全に作業を行うことができる。
【００１２】
また、第２には、魚釣りに用いるストリンガー用フック部材であって、線状部材の端部を略Ｕ字状に折り返して形成した被掛止部で、横方向に形成された被掛止部と、被掛止部の端部から上方に折曲して形成された第１縦棒状部と、第１縦棒状部の上端から連設された環状部で、線状部材を環状に湾曲させて形成された環状部と、環状部の端部から連設され、第１縦棒状部に沿って形成された第２縦棒状部と、第２縦棒状部の下端から下方に向けて設けられるとともに、上方に向けて湾曲し、被掛止部に掛止することにより閉状態となり、被掛止部への掛止を解除することにより開状態となる開閉部で、略Ｕ字状を呈する略Ｕ字状部と、略Ｕ字状部の端部から連設され、開閉部が被掛止部に掛止した状態では、被掛止部から上方に突出するとともに第１縦棒状部に略平行に形成された棒状先端部とを有する開閉部と、を有し、上記被掛止部と、第１縦棒状部と、環状部と、第２縦棒状部と、開閉部とが１本の線状部材で構成され、棒状先端部を指で操作することにより開閉部の開閉が可能に形成され、また、開閉部が被掛止部に掛止した状態では、棒状先端部が環状部の下側の領域の内部に位置することを特徴とする。
【００１３】
この第２の構成のストリンガー用フック部材においては、開閉部に対して被掛止部との掛止を解除して、開閉部を開状態とし、棒状先端部から魚に刺して略Ｕ字状部に魚を掛止させる。その後、開閉部を被掛止部に掛止させて、開閉部を閉状態とする。
【００１４】
本考案のストリンガー用フック部材においては、棒状先端部が設けられていて、棒状先端部が第１縦棒状部と略平行に形成され、棒状先端部を指で操作することにより開閉部の開閉が可能に形成されているので、少ない力で容易に開閉操作をすることができる。また、開閉部が被掛止部に掛止した状態では、棒状先端部が環状部の下側の領域の内部に位置するので、棒状先端部の先端の上方が、環状部によりカバーされた状態となり、魚を掛止したストリンガーを水中から引き上げる際に、棒状先端部の先端が他の物に引っかかるおそれを小さくすることができ、魚を容易に引き上げることが可能となる。
【００１５】
また、棒状先端部を操作することにより開閉部を開閉できるので、ストリンガーに掛止されている魚を外す際に、棒状先端部は魚から離れた位置にあるので、安全に作業を行うことができる。また、上記被掛止部と、第１縦棒状部と、環状部と、第２縦棒状部と、開閉部とが１本の線材で構成されているので、製造コストを安価に抑えることが可能となる。
【００１６】
また、第３には、上記第２の構成において、上記棒状先端部の長さが、第１縦棒状部の長さと略同一に形成されていることを特徴とする。よって、棒状先端部の長さが、第１縦棒状部の長さと略同一に形成されているので、棒状先端部を容易に操作することができる。
【００１７】
また、第４には、上記第２又は第３の構成において、第１縦棒状部と第２縦棒状部とが、固定部材により一体に固定されていることを特徴とする。
【００１８】
また、第５には、魚釣りに用いるストリンガーであって、スナップと、スナップに連結された撚り戻しと、撚り戻しに連設されたストリンガー用フック部材で、第１又は２又は３又は４の構成のストリンガー用フック部材と、を有することを特徴とする。
【考案の効果】
【００１９】
本考案に基づくストリンガー用フック部材及びストリンガーによれば、棒状先端部が設けられていて、棒状先端部を指で操作することにより開閉部の開閉が可能に形成されているので、少ない力で容易に開閉操作をすることができる。また、開閉部が被掛止部に掛止した状態では、棒状先端部が環状部の下側の領域の内部に位置するので、棒状先端部の先端の上方が、環状部によりカバーされた状態となり、魚を掛止したストリンガーを水中から引き上げる際に、棒状先端部の先端が他の物に引っかかるおそれを小さくすることができ、魚を容易に引き上げることが可能となる。  また、棒状先端部を操作することにより開閉部を開閉できるので、ストリンガーに掛止されている魚を外す際に、棒状先端部は魚から離れた位置にあるので、魚に接触することにより怪我をする危険を防ぐことができる。
【考案を実施するための最良の形態】
【００２０】
本考案においては、開閉操作が容易なストリンガーを提供するという目的を以下のようにして実現した。
【００２１】
本考案に基づくストリンガー２０は、図１〜図３に示すように、スナップ３０と、撚り戻し４０と、フック部（ストリンガー用フック部材）５０とを有している。なお、図３に示すように、ストリンガー２０におけるスナップ３０に紐部１０を通した状態として、ストリンガーセット５が構成される。実際には、ストリンガーセット５には、複数のストリンガー２０が紐部１０に設けられる。
【００２２】
ここで、スナップ３０は、支持板部３２と、開閉部３４と、開閉部３６とを有し、逆Ｕ字状に形成された開閉部３４は、支持板部３２に対して開閉自在に形成され、開閉部３６も、支持板部３２に対して開閉自在に形成されている。開閉部３４は、支持板部３２における折返し状の掛止部３２ａに掛止することにより閉状態となり、掛止部３２ａへの掛止を解除することにより開状態となる。また、開閉部３６も、支持板部３２における折返し状の掛止部３２ｂに掛止することにより閉状態となり、掛止部３２ｂへの掛止を解除することにより開状態となる。開閉部３４の開口部は、開閉部３６の開口部よりも大きく形成されている。紐部１０は、開閉部３４に挿通して設けられている。
【００２３】
また、撚り戻し４０は、略円柱状の本体部４２と、本体部４２に対して回転可能に軸支されている環状部４４と、本体部４２に対して回転可能に軸支されている環状部４６とを有し、環状部４４と環状部４６とは、互いに本体部４２の反対側に設けられている。なお、環状部４４には、スナップ３０の開閉部３６が挿通されて、スナップ３０と撚り戻り４０とが連結されている。
【００２４】
また、フック部５０は、被掛止部５２と、縦棒状部５４（第１縦棒状部）と、環状部５６と、縦棒状部５８（第２縦棒状部）と、開閉部６０とを有している。ここで、被掛止部５２と、縦棒状部５４と、環状部５６と、縦棒状部５８と、開閉部６０とは、全体に１本の線状部材により形成されている。
【００２５】
被掛止部５２は、線状部材の端部を略Ｕ字状に折り返すことにより形成され、横方向に形成されている。この被掛止部５２は、開閉部６０が掛止する被掛止部材として機能し、棒状の本体部５２ａと、本体部５２ａの端部に設けられ、略Ｕ字状の折り返し部５２ｂと、折り返し部５２ｂの先端から横方向に連設された先端部５２ｃとを有し、本体部５２ａと先端部５２ｃとは略平行に形成され、先端部５２ｃは、本体部５２ａよりも短く形成されている。
【００２６】
また、縦棒状部５４は、被掛止部５２の端部から連設され、直線状の棒状を呈し、縦方向に形成されている。つまり、縦棒状部５４は、被掛止部５２に対して略直角方向に形成されている。
【００２７】
また、環状部５６は、縦棒状部５４の上側の端部から連設され、環状に形成されている。この環状部５６は、正面視において、縦棒状部５４の上端から図示斜め右側に折れ曲がって直線状に伸びた後に反時計回りに環状に湾曲する形状を呈している。
【００２８】
また、縦棒状部５８は、環状部５６の他方の端部から連設され、直線状の棒状を呈し、縦方向に形成されていて、縦棒状部５４に沿って平行に設けられている。縦棒状部５４と縦棒状部５８とは、固定部材７０により一体に固定されている。この固定部材７０は、帯状のカシメ部材であり、縦棒状部５４と縦棒状部５８を固定部材７０によりかしめることにより縦棒状部５４と縦棒状部５８とが互いに平行に接した状態で一体にしている。これにより、縦棒状部５４と縦棒状部５８とにより縦方向に柱状部５９を形成している。なお、環状部５６は、この柱状部５９に対して図示右方向に偏心して設けられているといえる。
【００２９】
また、開閉部６０は、縦棒状部５８の下端から連設され、縦棒状部５８の下端から下方に向けて設けられるとともに、上方に向けて湾曲する形状を呈し、略Ｕ字状部６２と、棒状先端部６４とを有している。
【００３０】
略Ｕ字状部６２は、略Ｕ字状に湾曲した形状を呈し、この略Ｕ字状部６２が魚をフックする部分となる。開閉部６０が被掛止部５２に掛止する状態では、この略Ｕ字状部６２と被掛止部５２とで環状に形成される。
【００３１】
また、棒状先端部６４は、略Ｕ字状部６２の他方の端部から連設され、略棒状を呈し、開閉部６０を被掛止部５２に掛止した状態では、棒状先端部６４は、上下方向を向いて柱状部５９（縦棒状部５４としてもよい）と略平行（平行としてもよい）になるように構成されている。この棒状先端部６４の長さＳ１は、指で側方に押すことにより開閉部６０を開閉することができる長さに形成されていて、例えば、縦棒状部５４の長さＳ２と略同一（同一としてもよい）となっている。なお、開閉部６０を被掛止部５２に掛止した状態では、開閉部６０における略Ｕ字状部６２と棒状先端部６４の境界位置が被掛止部５２に接するようになっている。
【００３２】
また、この棒状先端部６４は、開閉部６０を被掛止部５２に掛止した状態では、環状部５６の下側の領域Ｒの内部に位置し、環状部５６を上方から視認した場合には、この環状部５６に棒状先端部６４が隠れる状態となっている。また、特に、棒状先端部６４の先端が環状部５６の直下に位置して、棒状先端部６４の先端の上方が、環状部５６によりカバーされた状態となっている。なお、開閉部６０を被掛止部５２に掛止した状態において、棒状先端部６４の全体が環状部５６の下側の領域Ｒの内部に位置していなくても、棒状先端部６４の先端が環状部５６の下側の領域Ｒの内部に位置していればよい。
【００３３】
上記構成のストリンガー２０の使用状態について説明する。釣り上げた魚をストリンガー２０に掛止するには、まず、開閉部６０を開状態にする。すなわち、開閉部６０の棒状先端部６４を柱状部５９側に押し込み、被掛止部５２を構成する先端部５２ｃの先端位置Ｐまで押し込んだら、棒状先端部６４を本体部５２ａ側とは逆側に若干移動させて、開閉部６０に与えていた力を解除する。すると、開閉部６０の被掛止部５２への掛止が解除されて、開閉部６０が開状態となる。例えば、柱状部５９と棒状先端部６４とを一方の手で摘んだ状態にし、その後、摘んだ手の力を抜くことにより、容易に開状態にすることができる。
【００３４】
その後、魚の口からエラの手前当たり、例えば、図３に示す位置に開閉部６０の棒状先端部６４を刺して、開閉部６０の略Ｕ字状部６２に魚を掛止させる。
【００３５】
その後、開閉部６０を被掛止部５２に掛止させて開閉部６０を閉状態とする。つまり、開閉部６０の棒状先端部６４を柱状部５９側に押し込み、被掛止部５２を構成する先端部５２ｃの先端位置Ｐまで押し込んだら、棒状先端部６４を本体部５２ａ側に若干押し込み、開閉部６０に与えていた力を解除することにより、開閉部６０が被掛止部５２に掛止される。例えば、柱状部５９と棒状先端部６４とを一方の手で摘んだ状態にし、その後、摘んだ手の力を抜くことにより、開状態とする場合と同様に容易に開状態にすることができる。
【００３６】
以上のようにして、フック部５０への魚の掛止が完了して、図３に示す状態としたら、魚を潮だまり等に入れて生かしておく。
【００３７】
本実施例のストリンガー２０においては、棒状先端部６４が設けられていて、棒状先端部６４が指で操作できる長さに形成され、特に、縦棒状部５４と略同一の長さに形成され、棒状先端部６４が長く形成されているので、棒状先端部６４を操作することにより開閉部６０の開閉操作をすることができ、少ない力で容易に開閉操作をすることができる。つまり、棒状先端部６４の長さが短くて棒状先端部を指で操作することができない場合には、略Ｕ字状部６２の側部Ｑの領域を反対側に押し込んで開閉操作をする必要があるが、略Ｕ字状部６２の側部Ｑの領域を押し込むには、相当な力を必要とする。特に、ストリンガー２０は、硬い線材により構成する必要があるため、略Ｕ字状部６２の側部Ｑの領域の押し込みには相当な力を要する。これに対して、本実施例のストリンガー２０においては、棒状先端部６４が設けられていて、棒状先端部６４が長く形成されているので、上記のように、柱状部５９と棒状先端部６４とを手で摘むようにして操作することにより少ない力で容易に開閉操作をすることが可能となる。
【００３８】
また、棒状先端部６４は、環状部５６の下側の領域の内部に位置し、特に、棒状先端部６４の先端が、環状部５６の下側の領域の内部に位置するので、棒状先端部６４の先端の上方が、環状部５６によりカバーされた状態となっており、魚を水中から引き上げる際に、棒状先端部６４の先端が他の物に引っかかるおそれを小さくすることができる。つまり、本実施例のストリンガー２０とは異なり、棒状先端部６４の先端の上方が開放されていると、水中から引き上げる際に棒状先端部６４の先端が堤防等に引っかかるおそれがあるが、本実施例のストリンガー２０においては、そのようなおそれがない。これにより、魚を水中から引き上げる際に、フック部５０が水中で他の物に引っかかることにより魚を引き上げるのが困難となることがなく、また、開閉部６０の掛止が外れて魚が逃げてしまうのを防止することができる。
【００３９】
また、本実施例のストリンガー２０においては、棒状先端部６４を操作することにより開閉部６０を開閉できるので、ストリンガー２０に掛止されている魚をストリンガー２０から外す際に、棒状先端部６４は魚から離れた位置にあるので、開閉部６０の掛止を解除する際に魚に接触するおそれを少なくでき、魚に接触することにより怪我をする危険を防ぐことができ、安全に作業を行うことができる。
【図面の簡単な説明】
【００４０】
【図１】本考案の実施例に基づくストリンガーの構成を示す正面図である。
【図２】本考案の実施例に基づくストリンガーの構成を示す斜視図である。
【図３】本考案の実施例に基づくストリンガーの使用状態を示す正面図である。
【符号の説明】
【００４１】
５  ストリンガーセット
１０  紐部
２０  ストリンガー
３０  スナップ
３２  支持板部
３４、３６、６０  開閉部
４０  撚り戻し
４２  本体部
４４、４６、５６  環状部
５０  フック部
５２  被掛止部
５４、５８  縦棒状部
５９  柱状部
６２  略Ｕ字状部
６４  棒状先端部
【図１】
0003129061.tif 000003
【図２】
0003129061.tif 000004
【図３】
0003129061.tif 000005